(57)【要約】【課題】  ランプ用夜光カバーの提供。【解決手段】  各種ランプ（灯管、バルブ）に適合するカバーであり、撓み性、弾性収縮力を有する環境保護透光性材料が夜光材と結合されて管柱、Ｃ型管柱、或いは袋形に形成されてなる透光、無色透光のカバーであり、該カバーがランプと挿嵌或いは嵌着され、ランプが発光して照明に供され、カバーが有色透光性とされる時、ランプが発射する光線の色を改変して環境の雰囲気を形成し、また日常にランプ照明時に吸収される光線がカバーにより吸収されてエネルギーが保存され、夜間或いは停電時に、カバーが夜光照明を発生し、自由に変換使用できコスト節約を達成する。【選択図】        図１
0003109904.tif 000002
【実用新案登録請求の範囲】
【請求項１】
灯管、バルブのような各種ランプに適用されるカバーであり、撓み性、弾性収縮力を有する環境保護透光性材料が夜光材と結合されて管柱、Ｃ型管柱、或いは袋形に形成されてなる有色透光、無色透光のカバーであり、管柱或いはＣ型管柱のカバーがランプと挿嵌或いは嵌合され、袋形のカバーがバルブと嵌合されてそれを結束することを特徴とする、ランプ用夜光カバー。
【請求項２】
請求項１記載のランプ用夜光カバーにおいて、管柱、Ｃ型管柱、或いは袋形に形成されたカバーが有色透光のカバーとされる時、ランプの発光時にランプの発射する光の色を改変して環境の雰囲気づくりを行ない、無色透光のカバーとされる時、ランプの光の色を不改変であることを特徴とする、ランプ用夜光カバー。
【請求項３】
請求項１記載のランプ用夜光カバーにおいて、管柱、Ｃ型管柱、或いは袋形に形成されたカバーが、ランプの発射する光線を不断に吸収してエネルギーを蓄積し、夜間或いは停電時に、カバーが夜光安全照明機能とエネルギー節約機能を提供することを特徴とする、ランプ用夜光カバー。
【考案の詳細な説明】
【技術分野】
【０００１】
本考案は一種のランプ用夜光カバーに係り、特に、各種ランプ（灯管、バルブ）に適合するカバーであり、撓み性、弾性収縮力を有する環境保護透光性材料が夜光材と結合されて管柱、Ｃ型管柱、或いは袋形に形成されてなる透光、無色透光のカバーであり、該カバーがランプと嵌合され、ランプが発光して照明に供され、カバーが有色透光性とされる時、ランプが発射する光線の色を改変して環境の雰囲気を形成し、また日常にランプ照明時に吸収される光線がカバーにより吸収されてエネルギーが保存され、夜間或いは停電時に、カバーが夜光照明を発生し、自由に変換使用できコスト節約を達成し、特に、各種照明場所での使用に適合し、夜間、公共安全施設、及び停電時の安全夜光照明指示機能を提供する、ランプ用夜光カバーに関する。
【背景技術】
【０００２】
一般にランプ（例えば灯管、バルブ）は電力を利用して発光し、住居、公共の場所或いは安全施設等のいずれもランプにより空間を照明している。一般にランプの発射する光線は白光或いは黄光であり、その他の発光色のランプ、特に雰囲気づくりのために使用されるランプは単価が非常に高い。ただし、いずれのランプの電力により発光し、深夜に、住居の照明は予備用光源とされて非常に電力を消耗する。また、停電時にはランプは発光して照明できず、蝋燭或いは懐中電灯で照明を行なわねばならないので非常に不便であり、公共の場所で停電した時は人々をパニックに陥れて事故を発生する恐れがある。
【考案の開示】
【考案が解決しようとする課題】
【０００３】
以上の従来の技術の欠点を鑑み、本考案は、無電源下で発光して照明を行なえて安全機能を達成すると共にエネルギーを節約でき、並びに平常時のランプ発光の色を改変して雰囲気をつくることができる、一種のランプ用夜光カバーを提供することを目的とする。
【課題を解決するための手段】
【０００４】
請求項１の考案は、灯管、バルブのような各種ランプに適用されるカバーであり、撓み性、弾性収縮力を有する環境保護透光性材料が夜光材と結合されて管柱、Ｃ型管柱、或いは袋形に形成されてなる有色透光、無色透光のカバーであり、管柱或いはＣ型管柱のカバーがランプと挿嵌或いは嵌合され、袋形のカバーがバルブと嵌合されてそれを結束することを特徴とする、ランプ用夜光カバーとしている。
請求項２の考案は、請求項１記載のランプ用夜光カバーにおいて、管柱、Ｃ型管柱、或いは袋形に形成されたカバーが有色透光のカバーとされる時、ランプの発光時にランプの発射する光の色を改変して環境の雰囲気づくりを行ない、無色透光のカバーとされる時、ランプの光の色を不改変であることを特徴とする、ランプ用夜光カバーとしている。
請求項３の考案は、請求項１記載のランプ用夜光カバーにおいて、管柱、Ｃ型管柱、或いは袋形に形成されたカバーが、ランプの発射する光線を不断に吸収してエネルギーを蓄積し、夜間或いは停電時に、カバーが夜光安全照明機能とエネルギー節約機能を提供することを特徴とする、ランプ用夜光カバーとしている。
【考案の効果】
【０００５】
本考案のランプ用夜光カバーは、各種ランプ（灯管、バルブ）に適合するカバーであり、撓み性、弾性収縮力を有する環境保護透光性材料が夜光材と結合されて管柱、Ｃ型管柱、或いは袋形に形成されてなる透光、無色透光のカバーであり、該カバーがランプと挿嵌或いは嵌着され、ランプが発光して照明に供され、カバーが有色透光性とされる時、ランプが発射する光線の色を改変して環境の雰囲気を形成し、また日常にランプ照明時に吸収される光線がカバーにより吸収されてエネルギーが保存され、夜間或いは停電時に、カバーが夜光照明を発生し、自由に変換使用できコスト節約を達成する。
【考案を実施するための最良の形態】
【０００６】
本考案は一種のランプ用夜光カバーを提供し、それは、各種ランプ、例えば、灯管１０、バルブ３０に適合するカバーであり、撓み性と弾性収縮力を有する、撓み性、弾性収縮力を有する環境保護透光性材料が効果の長い夜光材と結合されてなり、図１に示されるように、管柱カバー２０２、Ｃ型管柱カバー２０、或いは図４に示される袋形カバー４０とされ、それは有色或いは無色とされて透光性を有する。図１、２、３に示されるように、管柱カバー２０２、Ｃ型管柱カバー２０は灯管１０と挿嵌式に結合され、また、図４、５に示されるように、袋形カバー４０はバルブ３０に嵌合されそれを結束する。
【０００７】
日常、ランプは発光して照明を提供し、カバーが有色の透光性のカバーとされる時、ランプ１０、バルブ３０の投射光線の色を改変して環境の雰囲気づくりを行ない、無色の透光性のカバーとされる時はランプ光線の色を改変しない。また、平常時のランプ照明時の光線はカバーにより不断に吸収されてエネルギーが保存され、これにより、夜間或いは停電時に、各カバーが夜光安全照明とエネルギー節約の効果を提供する。各カバーは自由に変換使用されてコスト節約の機能を達成する。特に、各種照明場所での使用に適合し、夜間、公共安全設備、及び停電時の安全夜光照明の機能を提供する。
【図面の簡単な説明】
【０００８】
【図１】本考案の管柱カバーとＣ型管柱の灯管との結合表示図である。
【図２】本考案の管柱カバーと灯管の結合時の発光側面表示図である。
【図３】本考案のＣ型管柱カバーと灯管の結合時の発光側面表示図である。
【図４】本考案の袋形カバーとバルブとの結合表示図である。
【図５】本考案の袋形カバーとバルブとの結合時の発光表示図である。
【符号の説明】
【０００９】
１０  灯管
２０  Ｃ型管柱カバー
２０２  管柱カバー
３０  バルブ
４０  袋形カバー
【図１】
0003109904.tif 000003
【図２】
0003109904.tif 000004
【図３】
0003109904.tif 000005
【図４】
0003109904.tif 000006
【図５】
0003109904.tif 000007